(57)【要約】  【課題】収納された写真プリントの画像を外から見られることなく、顧客のプライバシーを保護することができるとともに、無駄なプリント用紙が用いられることのない写真パック、およびこの写真パックを作製するプリントシステムを提供する。  【解決手段】写真パックは、１オーダ分の写真プリントと、第１面に１オーダ分のインデックス画像を記録し、第２面に少なくとも１オーダ分の写真プリントの料金が記録された注文情報プリントと、注文情報プリントおよび１オーダ分の写真プリントを積層してなる積層体を収納する少なくとも一部が透明な袋とを有する。この積層体は、１オーダ分の写真プリントのうち、非画像記録面を外側にした第１の写真プリントと、第２面を外側にした注文情報プリントとで、残りの１オーダ分の写真プリントを挟み込んだものである。【選択図】図５
2007010739.tif 000002
【特許請求の範囲】
【請求項１】
１オーダ分の写真プリントと、
第１面に前記１オーダ分のインデックス画像が記録され、第２面に少なくとも前記１オーダ分の写真プリントの料金が記録された注文情報プリントと、
前記注文情報プリントおよび前記１オーダ分の写真プリントを積層してなる積層体を収納する少なくとも一部が透明な袋とを有し、
前記積層体は、前記１オーダ分の写真プリントのうち、その非画像記録面を外側にした第１の写真プリントと、前記第２面を外側にした前記注文情報プリントとで、残りの前記１オーダ分の写真プリントを挟み込んだものであることを特徴とする写真パック。
【請求項２】
前記残りの１オーダ分の写真プリントは、その非画像記録面の向きが前記第１の写真プリントの非画像記録面の向きと一致している請求項１に記載の写真パック。
【請求項３】
前記注文情報プリントの第２面には、さらに、少なくとも顧客の情報および注文内容が記録されている請求項１または２に記載の写真パック。
【請求項４】
前記１オーダ分の写真プリントの料金は、バーコードで記録されている請求項１〜３のいずれかに記載の写真パック。
【請求項５】
プリント注文の内容に関する注文情報データおよび画像データを含む顧客の１オーダ分の注文を受け付ける受付手段と、
前記顧客の１オーダ分の注文に基づいて、前記１オーダ分の写真プリントの料金を計算する料金計算手段と、
前記受付手段が受けた前記１オーダ分の前記注文情報データおよび前記画像データに基づいて、前記１オーダ分の写真プリント、および第１面に前記１オーダ分のインデックス画像が記録され、第２面に少なくとも前記１オーダ分の写真プリントの料金が記録された注文情報プリントを作製するプリンタと、
前記１オーダ分の写真プリントのうち、その非画像記録面を外側にした第１の写真プリントと、前記第２面を外側にした前記注文情報プリントとで、残りの前記１オーダ分の写真プリントを挟み込んで積層してなる積層体を、少なくとも一部が透明な袋に包装する包装手段とを有することを特徴とするプリントシステム。
【請求項６】
前記プリンタは、記録媒体の一方の面に画像を記録する画像記録部と、前記記録媒体の他方の面に情報を記録する情報記録部とを備え、
前記写真プリントは、前記記録媒体の一方の面となる画像記録面に、前記画像記録部によって１枚分の前記画像データを再現した画像が記録され、前記記録媒体の他方の面となる前記非画像記録面に、前記情報記録部によって裏印字情報が記録されたものであり、
前記注文情報プリントは、前記記録媒体の一方の面となる前記第１面に、前記画像記録部によって前記１オーダ分のインデックス画像が記録され、前記記録媒体の他方の面となる前記第２面に、前記情報記録部によって少なくとも前記１オーダ分の写真プリントの料金が記録されたものである請求項５に記載のプリントシステム。
【請求項７】
前記包装手段は、前記プリンタから出力された前記写真プリントまたは前記注文情報プリントの表裏を反転する表裏反転部を備える請求項５または６に記載のプリントシステム。
【請求項８】
前記プリンタは、さらに、前記写真プリントまたは前記注文情報プリントの表裏を反転する表裏反転部を備える請求項５または６に記載のプリントシステム。
【請求項９】
前記表裏反転部は、前記１オーダ分の写真プリントおよびその前記注文情報プリントの中の、前記プリンタにおいて最後に作製された前記写真プリントまたは前記注文情報プリントの表裏を反転させるものである請求項７または８に記載のプリントシステム。
【請求項１０】
前記プリンタは、記録媒体の一方の面に画像を記録する第１の画像記録部と、前記記録媒体の他方の面に画像を記録する第２の画像記録部を備え、
前記第１および第２の画像記録部の少なくとも一方は、前記画像に加え、さらに、少なくとも前記１オーダ分の写真プリントの料金を記録するものであり、
前記注文情報プリントの前記第１面の前記１オーダ分のインデックス画像および第２面の前記１オーダ分の写真プリントの料金は、それぞれ前記第１および第２の画像記録部の内の互いに異なる画像記録部によって記録される請求項５に記載のプリントシステム。
【発明の詳細な説明】
【技術分野】
【０００１】
本発明は、内部に収納された写真プリントの画像が外から見られることのない写真パックおよびこの写真パックを無駄なく作製するプリントシステムに関する。
【背景技術】
【０００２】
従来、１オーダ分の写真プリントと、これらの写真プリントのすべての画像が１枚の記録媒体に記録されたインデックスプリントとは、ソータへ集積された後に、オペレータの手作業で、集積されたプリントとＤＰ袋の顧客情報や注文（オーダ）情報とプリント料金等とを照合した後、ＤＰ袋へ袋詰めされている（例えば、特許文献１参照）。
【０００３】
特許文献１には、写真プリントを焼付ける際に、印字器を利用して、写真プリントの最終コマの裏にプリント枚数やプリント料金等のプリント情報を印字する写真焼付装置が開示されている。この写真焼付装置によれば、ＤＰ袋へのプリント情報の記載を省略し、ＤＰ袋に形成されている透明フイルムにより、写真プリントをＤＰ袋から取り出すことなく、最終コマの裏面に記録されたプリント料金やプリント情報を確認することができる。
【０００４】
しかし、オペレータによる手作業でのプリント情報の照合や確認やその後の写真プリントのＤＰ袋への袋詰め作業は、手間がかかる。そこで、オペレータによるＤＰ袋への袋詰め作業を省力化するために梱包装置が提案されている（例えば、特許文献２、３参照）。
ここで、梱包装置とは、ソータへ集積された写真プリントおよびインデックスプリントをまとめて透明な袋に入れ込み、シールするものである。この場合、最上部には、バーコード付の注文プリントが載置されており、プリント料金や枚数等のプリント情報の確認や照合が容易に行えるようになっている。
【０００５】
特許文献２には、１オーダ分の写真プリントを焼付けた後に、料金情報を印刷したインデックスプリントを連続して焼付けて集積部に集積することにより、１オーダ分の仕分けができ、梱包装置での包装作業が容易になる写真プリントの作成装置が開示されている。
【０００６】
また、特許文献３には、写真プリントの直前、直後に、料金が記録された記録媒体（以下、料金プリントという）を配し、ソータ上で料金プリントが写真プリントの上になるように配置される写真製品生産システムが開示されている。特許文献３の写真製品生産システムにより生産された写真プリントは、料金プリントが写真プリントの一番上に置かれた状態で、上面が透明なＤＰ袋に料金プリントが外から見えるように収容される。
【０００７】
【特許文献１】特開昭６１−２３９２３５号公報
【特許文献２】特開平９−２９２６６０号公報
【特許文献３】特許第３５５１４０２号公報
【発明の開示】
【発明が解決しようとする課題】
【０００８】
特許文献１の写真焼付装置は、写真プリントの最終コマの裏にプリント情報の印字を行うものである。特許文献１の写真焼付装置において得られた写真プリントの最終コマの裏には、プリント料金等のプリント情報が印字されているため、友人や知人などにこの写真プリントを配布する場合には、プリント料金等のプリント情報が知られてしまう。このため、この最終コマの写真プリントは、友人や知人に配布するものとしては、好ましいものではないという問題がある。
【０００９】
また、特許文献２の写真プリントの作成装置、および特許文献３の写真製品生産システムにおいては、写真プリントの裏面に注文内容等のプリント情報を印字することはないものの、料金プリントのために１枚のプリント用紙を使用しなければならない。このため、プリント用紙に無駄が生じ、生産性が劣るという問題点がある。
また、これらの特許文献においては、インデックス画像とプリント情報とを１枚のプリント用紙の同じ面に記録して、インデックスプリントと料金プリントとを一体化することも開示しているが、このような一体化では、透明袋内のインデックス画像を外から他人も見ることができるため、顧客のプライバシーを保護することができないという問題がある。
【００１０】
本発明の目的は、前記従来技術の問題点を解決することにあり、外から写真プリントの画像が見られることなく、顧客のプライバシーを保護することができるとともに、他人にプリント料金等のプリント情報が印字された写真プリントを配布することにならず、料金プリント等の余分なプリント用紙を含むことのない写真パック、およびこのような写真パックを料金プリント等のために１枚のプリント用紙を使用することによる無駄なプリント用紙を発生させることなく作製することができるプリントシステムを提供することにある。
【課題を解決するための手段】
【００１１】
上記目的を達成するために、本発明の第１の態様は、１オーダ分の写真プリントと、第１面に前記１オーダ分のインデックス画像が記録され、第２面に少なくとも前記１オーダ分の写真プリントの料金が記録された注文情報プリントと、前記注文情報プリントおよび前記１オーダ分の写真プリントを積層してなる積層体を収納する少なくとも一部が透明な袋とを有し、前記積層体は、前記１オーダ分の写真プリントのうち、その非画像記録面を外側にした第１の写真プリントと、前記第２面を外側にした前記注文情報プリントとで、残りの前記１オーダ分の写真プリントを挟み込んだものであることを特徴とする写真パックを提供するものである。
【００１２】
また、本発明においては、前記残りの１オーダ分の写真プリントは、その非画像記録面の向きが前記第１の写真プリントの非画像記録面の向きと一致していることが好ましい。
【００１３】
本発明においては、さらに、前記注文情報プリントの第２面には、さらに、少なくとも顧客の情報および注文内容が記録されていることが好ましい。
また、前記１オーダ分の写真プリントの料金は、バーコードで記録されていることが好ましい。
【００１４】
本発明の第２の態様は、プリント注文の内容に関する注文情報データおよび画像データを含む顧客の１オーダ分の注文を受け付ける受付手段と、前記顧客の１オーダ分の注文に基づいて、前記１オーダ分の写真プリントの料金を計算する料金計算手段と、前記受付手段が受けた前記１オーダ分の前記注文情報データおよび前記画像データに基づいて、前記１オーダ分の写真プリント、および第１面に前記１オーダ分のインデックス画像が記録され、第２面に少なくとも前記１オーダ分の写真プリントの料金が記録された注文情報プリントを作製するプリンタと、前記１オーダ分の写真プリントのうち、その非画像記録面を外側にした第１の写真プリントと、前記第２面を外側にした前記注文情報プリントとで、残りの前記１オーダ分の写真プリントを挟み込んで積層してなる積層体を、少なくとも一部が透明な袋に包装する包装手段とを有することを特徴とするプリントシステムを提供するものである。
【００１５】
本発明においては、前記プリンタは、記録媒体の一方の面に画像を記録する画像記録部と、前記記録媒体の他方の面に情報を記録する情報記録部とを備え、前記写真プリントは、前記記録媒体の一方の面となる画像記録面に、前記画像記録部によって１枚分の前記画像データを再現した画像が記録され、前記記録媒体の他方の面となる前記非画像記録面に、前記情報記録部によって裏印字情報が記録されたものであり、前記注文情報プリントは、前記記録媒体の一方の面となる前記第１面に、前記画像記録部によって前記１オーダ分のインデックス画像が記録され、前記記録媒体の他方の面となる前記第２面に、前記情報記録部によって少なくとも前記１オーダ分の写真プリントの料金が記録されたものであることが好ましい。
【００１６】
また、本発明においては、前記包装手段は、前記プリンタから出力された前記写真プリントまたは前記注文情報プリントの表裏を反転する表裏反転部を備えるものであることが好ましく、前記プリンタは、さらに、前記写真プリントまたは前記注文情報プリントの表裏を反転する表裏反転部を備えることが好ましい。
【００１７】
さらに、前記表裏反転部は、前記１オーダ分の写真プリントおよびその前記注文情報プリントの中の、前記プリンタにおいて最後に作製された前記写真プリントまたは前記注文情報プリントの表裏を反転させるものであることが好ましい。
【００１８】
また、前記プリンタは、記録媒体の一方の面に画像を記録する第１の画像記録部と、前記記録媒体の他方の面に画像を記録する第２の画像記録部を備え、前記第１および第２の画像記録部の少なくとも一方は、前記画像に加え、さらに、少なくとも前記１オーダ分の写真プリントの料金を記録するものであり、前記注文情報プリントの前記第１面の前記１オーダ分のインデックス画像および第２面の前記１オーダ分の写真プリントの料金は、それぞれ前記第１および第２の画像記録部の内の互いに異なる画像記録部によって記録されることが好ましい。
【発明の効果】
【００１９】
本発明の第１の態様の写真パックによれば、１オーダ分の写真プリントのうち、その非画像記録面を外側にした第１の写真プリントと、インデックス画像が記録された第１面を内側にし、１オーダ分の写真プリントの料金が記録された第２面を外側にした注文情報プリントとで、残りの１オーダ分の写真プリントを挟み込んで積層してなる積層体を少なくとも一部が透明な袋に収納された構成とすることにより、インデックス画像および写真プリントの記録画像が外から見られることがなくなる。このため、顧客がこの写真パックを受け取る場合にも、注文した写真プリントの画像を他者に見られることがない。これにより、顧客のプライバシーが守られる。
また、本発明の写真パックによれば、１オーダ分の写真プリントの料金が記録された第２面を外側にして、注文情報プリントが配置されているため、写真プリントの料金を袋の外から識別することができる。よって、写真パックの透明な袋を開封することなく、写真パック内の１オーダ分の写真プリントの料金を確認することができる。さらに、注文情報プリントにおいては、インデックス画像および写真プリントの料金等の注文情報を両面に記録しているため、料金等の注文情報のために１枚のプリント用紙を使用するといったようなプリント用紙の無駄を省くことができる。さらにまた、写真プリントの裏面にプリント料金を記録するものではないので、写真プリントを友人や知人などの他人に配布しても不都合なことがない。
なお、注文情報プリントにおいて、他人に知られたくないプリント料金等をバーコードで記録した場合には、写真パックごと他人に配布しても不都合がない。
【００２０】
さらに、本発明の第２の態様のプリントシステムによれば、顧客の１オーダ分の注文に基づいて、１オーダ分の写真プリントのうち、その非画像記録面を外側にした第１の写真プリントと、インデックス画像が記録された第１面を内側にし、１オーダ分の写真プリントの料金が記録された第２面を外側にした注文情報プリントとで、残りの１オーダ分の写真プリントを挟み込んで積層してなる積層体を少なくとも一部が透明な袋に収納された写真パックを自動的に作製することができる。このように、インデックス画像および写真プリントの料金を両面に記録した注文情報プリントを設けることにより、料金等の注文情報のために１枚のプリント用紙を使用するといったようなプリント用紙の無駄を省くことができる。
また、本発明の第２の態様のプリントシステムによれば、注文情報プリントの写真プリントの料金の記録面を外側にすることにより、インデックス画像および写真プリントの記録画像が外から見られることがなくなる。よって、注文した写真プリントの画像を他者に見られることがなく、顧客のプライバシーが守られた写真パックを作製することができる。さらに、写真プリントの料金の記録面を外側に向けているため、料金の記録面を袋の外から識別することができ、透明な袋を開封することなく、１オーダ分の写真プリントの料金を確認することができる。
【発明を実施するための最良の形態】
【００２１】
以下に、添付の図面に示す好適実施例に基づいて、本発明の写真パックおよびプリントシステムを詳細に説明する。
図１は、本発明に係る、本発明の写真パックを作製するプリントシステムの一実施例を示す模式的なブロック図である。
同図に示すように、プリントシステム１０は、受付機（受付手段）１２ａ、１２ｂ、オーダーコントローラ１４、片面画像形成装置１６、両面画像形成装置１８、および決済機２０を有する。
【００２２】
受付機１２ａ、１２ｂは、ラボ店の店頭、例えば、カウンタ上に設置され、顧客の注文を受け付けるために、オペレータが注文内容、注文事項等の注文情報データを入力して受付・登録するためのものであり、例えば、通常、モニタ表示画面を備えたパーソナルコンピュータ（ＰＣ）で構成される。
また、受付機１２ａ、１２ｂは、顧客の注文と同時に、プリントする画像の画像データも受け付ける。なお、受付機１２ａ、１２ｂで受け付ける画像データは、片面画像形成装置１６等において、記録媒体の片面に記録されるものに限定されるものではなく、両面画像形成装置１８において、記録媒体の両面に画像が形成されるものであってもよい。
【００２３】
この受付機１２ａ、１２ｂにおいては、注文情報データが入力されて注文が確定されると、例えば、受付番号が注文情報データに付与されるとともに、受付日時も記録される。また、注文情報データが照合され、以前に入力された顧客である場合には、予め付与されている顧客ＩＤが付与される。一方、以前に入力された顧客でない場合には、顧客ＩＤが新たに付与される。このように、受付機１２ａ、１２ｂにおいては、注文情報データに受付番号、受付日時、および顧客ＩＤが付与されて、プリント注文された画像データとともにオーダーコントローラ１４に出力される。
【００２４】
また、受付機１２ａ、１２ｂは、顧客自身が、簡単な注文を受付・登録するためのものでもよく、この場合には、例えば、通常、モニタ表示画面を備えたパーソナルコンピュータ（ＰＣ）で構成されている。受付機１２ａ、１２ｂを構成するＰＣは、モニタ（ディスプレイ）に加え、キーボードおよびマウスなどの入力デバイス、注文情報データ、ならびにソフトウエアなどを一時的に記憶しておくメモリまたは記憶装置（ＨＤＤ）などを備えていて良いのはもちろんであり、注文が確定した場合に発行される引換券をプリントするプリンタが設けられている。さらには、メモリカード、ＣＤ、ＭＯ、またはＦＤなどのメディアから画像データなどを読み出すためのメディアドライブを備えているのが良い。
また、受付機１２ａ、１２ｂが設けられているカウンタなどで、オペレータが撮影済みのフイルムを受け取ってもよい。この撮影済みのフイルムを現像し、現像済みのフイルムをフイルムスキャナで読み取り、画像データを取得するようにしてもよい。
【００２５】
なお、受付機１２ａ、１２ｂの設置場所は、ラボ店の店頭のカウンタ上等に特に限定されるものではなく、例えば、ラボ店の他の場所でも、他の店舗の店頭、例えばコンビニエンスストア等を挙げることができる。また、インターネットなどのネットワーク経由により受付機１２ａ、１２ｂにアクセス可能としてもよい。また、引換券の形態は、特に限定されるものではなく、受け取り可能な日時などが記録されていれば良い。
【００２６】
本実施例において、受付機１２ａ、１２ｂに入力される注文情報データは、例えば、顧客の氏名、顧客の電話番号、および顧客の住所などの顧客情報である。加えて、注文情報データは、プリントの種類（例えば光沢、シルク、マット等の面種も含む）、サイズおよび枚数、プリントする画像の仕上がり、ならびに飾りプリントの有無などのプリント処理内容（注文内容）等を含むものである。
【００２７】
オーダーコントローラ１４は、受付機１２ａ、１２ｂに入力される注文情報データおよび画像データを管理するものである。また、オーダーコントローラ１４は、画像処理部（図示せず）を備え、プリントする画像の画像データをプリント用画像データに変換するものであってもよい。
【００２８】
さらに、オーダーコントローラ１４は、注文情報データに基づいて料金情報を編集するものであり、本発明の料金計算手段を兼ねるものである。また、オーダーコントローラ１４は、後述するように決済機２０に１オーダ分の料金データを出力するものでもある。
オーダーコントローラ１４は、例えば、プリント１枚の料金、画像修正の料金、飾りプリントの料金、または特別な記録媒体を使用した場合の料金などのプリント処理内容に関する料金の明細が記憶されている価格データベース（図示せず）を有する。このオーダーコントローラ１４は、価格データベース（図示せず）を参照して、料金情報に基づいて、料金を計算する。この１オーダ分の料金データは、例えば、注文情報データとして管理される。
【００２９】
また、オーダーコントローラ１４は、注文情報データに基づいて、プリントシステム１０に接続されている片面プリント可能な片面プリンタ、または両面プリント可能な両面プリンタに１オーダ分の画像データを送信する。すなわち、１オーダ分の注文に応じたジョブの振り分け制御を行う。
【００３０】
また、オーダーコントローラ１４は、上述した画像処理部により、プリント用画像データから１オーダ分の各画像が縮小されてまとめて記録媒体の一方の面に記録されるインデックス用画像データが作製され、さらに、料金データを含む注文情報データに基づいて、記録媒体の他方の面、すなわち料金記録面のフォーマットに則った料金記録面用データが作製される。このように、オーダーコントローラ１４においては、プリント用画像データ、インデックス用画像データおよび料金記録面用データは１つにまとめられて１件分のプリントオーダ情報とされる。このプリントオーダ情報を片面画像形成装置１６または両面画像形成装置１８に出力する。
【００３１】
なお、本実施例においては、プリントオーダ情報では、写真プリントおよび注文情報プリントのプリント順も決定されている。
また、両面画像形成装置１８にプリントオーダ情報を出力する場合には、写真プリントならびに注文情報プリントのインデックス画像記録面および料金記録面が記録媒体の両面のうち、いずれの面に記録されるかも決定されている。
ここで、注文情報プリントとは、例えば、記録媒体の一方の面（第１面）に１オーダ分のインデックス画像が記録され、他面（第２面）に、少なくとも１オーダ分の写真プリントの料金を含む注文情報データ（料金記録面用データ）が記録されたプリントである（図６（ａ）、（ｂ）参照）。
【００３２】
片面画像形成装置１６および両面画像形成装置１８は、オーダーコントローラ１４からプリントオーダ情報を受信し、プリントオーダ情報に基づいて、１オーダ分の写真プリントＰ（図５（ａ）参照）、および注文情報プリント１２０（図６（ａ）、（ｂ）参照）を作製し、さらには写真プリントＰおよび注文情報プリント１２０が積層されてなる積層体Ｓ（図５（ａ）参照）をまとめて少なくとも一部が透明な袋に包装するものである。
【００３３】
片面画像形成装置１６は、記録媒体の一方の面に画像を形成することができる片面プリンタ３０と、片面プリンタ３０により作製された写真プリント、および注文情報プリント１２０を、積層体Ｓとして、少なくとも一部が透明な袋に包装するパッカー（包装手段）３２とを有する。これらの片面プリンタ３０およびパッカー３２については、後で詳細に説明する。
【００３４】
両面画像形成装置１８は、記録媒体の両方の面に画像を形成することができる両面プリンタ３４と、両面プリンタ３４により形成された写真プリントＰ、および注文情報プリント１２０を、積層体Ｓとして、少なくとも一部が透明な袋に包装するパッカー（包装手段）３６とを有する。
なお、両面プリンタ３４は、記録媒体の一方の面に１オーダ分のインデックス画像が、他方の面に料金を含む注文情報が記録された注文情報プリントを作成するものであるが、互いに異なる２枚分の、もしくは１枚分のプリント用画像データに基づいて、記録媒体の両面に、互いに異なる、もしくは同一のプリント画像が形成された写真プリントＰを作製してもよい。
これらの両面プリンタ３４およびパッカー３６については、後で詳細に説明する。
【００３５】
決済機２０は、１オーダ分毎の写真プリントの料金を清算するものであり、例えば、ラボ店内あるいは他の場所において、受付機１２ａ、１２ｂと一緒に、もしくは別のところに設けられているものである。
本実施例においては、例えば、決済機２０が設置されているところで、写真パック１１４の引渡しが、例えば、引換券を用いて行われる。注文情報プリントの料金記録面１２０ｂ（図６（ｂ）参照）に記録されている１オーダ分の写真プリントの料金を見て、料金が支払われる。
また、注文情報プリントの料金記録面１２０ｂに、１オーダ分の写真プリントの料金に対応付けられたバーコードが記録されている場合には、バーコードを読み取り料金を精算するようにしてもよい。受付機１２ａ、１２ｂから出力された料金データに基づいて、決済機２０により、写真パック１１４の料金の精算が行われる。
なお、注文情報プリントにプリント料金がバーコードで記録されている場合には、他者は容易に料金等を知ることはできないので、インデックス画像が記録された注文情報プリント、さらには本発明の写真パック自体を他人に配布することも可能である。
【００３６】
以下、片面画像形成装置１６について、図２〜図４を参照して詳細に説明する。
図２は、本発明の実施例に係る写真パックを作製する片面画像形成装置を示す模式的断面図であり、図３は、本実施例の片面画像形成装置のスイッチバック部を示す模式図である。図４（ａ）は、本実施例の片面画像形成装置のパッカーを示す模式図であり、（ｂ）は、本実施例のパッカーに用いられる包装用シートを示す模式図である。
【００３７】
図２に示すように、片面画像形成装置１６の片面プリンタ３０は、光ビーム走査露光を利用して記録媒体である写真感光材料にプリント画像を露光記録して形成する装置であり、例えば、ロール状に巻き回された長尺状の感光材料Ａから所定の長さだけ引き出されてカットされたカットシート状の感光材料（以下、シート体ともいう）Ａを露光位置ｒに搬送し、オーダーコントローラ１４から供給されたプリンタ用画像データに応じて変調した光ビームＬを主走査方向に偏向するとともに、主走査方向と直交する副走査方向に感光材料Ａを走査搬送することにより、光ビームＬによって感光材料Ａを走査露光して画像（潜像）を形成し、現像して可視画像（顕像）を形成するものである。ここで用いられる感光材料Ａは、片側の面にだけ感光層が形成されたものである。
【００３８】
この片面プリンタ３０は、光ビーム走査露光によって感光材料Ａの片面の感光層にプリント画像を潜像として記録する片面プリンタ部４０および、片面プリンタ部４０に隣接して設けられた、潜像が形成された露光済みの感光材料Ａを現像して可視画像（顕像）とするプロセサ６０を有する。
片面画像形成装置１６は、この片面画像形成装置１６の全体の動作を制御する制御部５０が設けられている。
【００３９】
片面プリンタ部４０は、搬送方向上流側から、供給部４２、裏印字部４８、露光ユニット５２、振分部（図示せず）および搬出部５６を有し、これらの各部位には、ローラまたは駆動ローラと、この駆動ローラと対をなすニップローラとからなるローラ対５４が搬送路に沿って複数個設けられている。
【００４０】
供給部４２は、感光材料Ａ（シート体）を供給するものであり、例えば、記録面を外側にしてロール状に巻き回された長尺な感光材料Ａが遮光性を有する筐体に収納されたマガジン４２ａ、４２ｂが装填される部位である。
マガジン４２ａ、４２ｂには、通常、感光材料Ａのサイズ（幅）、光沢、シルクおよびマット等の感光面の種類、ならびに仕様（厚さおよびベースの種類）等、互いに種類の異なる感光材料Ａが収納される。本実施例では、マガジン４２ａ、４２ｂを２個設けているが、本発明においては、マガジンの数は、特に限定されるものではない。本発明においては、マガジンは、１個でもよく、また、３個以上であってもよい。
【００４１】
マガジン４２ａ、４２ｂには、内部に収納された感光材料Ａを引き出して搬送するための引出ローラ対４４が設けられている。
また、マガジン４２ａ、４２ｂの出口から所定の距離離間した位置にカッタ４６が設けられている。
引出ローラ対４４は、カッタ４６で所定の長さのシート体とするためにプリント長さに応じて感光材料Ａを所定の長さだけ引き出した後、感光材料Ａの引き出しを停止する。
【００４２】
カッタ４６は、片面画像形成装置１６の制御部５０から送られてきた制御信号に基づいて、各マガジン４２ａ、４２ｂから引き出された感光材料Ａを裁断するものであり、制御部５０によりカッタ４６の感光材料Ａの切り出し間隔が調整される。このカッタ４６により所定長さにカットされたシート体は、裏印字部４８に送られる。なお、本実施例においては、供給部４２は、長尺な感光材料Ａを切断してシート体を供給するものに限定されるものではなく、予め所定の大きさに形成されたシート体を供給するようにしてもよい。また、カッタは各マガジン毎に１ヶずつ配置してもよい。
【００４３】
裏印字部４８は、制御部５０からの制御信号に基づいて、注文情報プリント１２０のシート体の非画像記録面（非乳剤面＝裏面）に、少なくともプリント料金を含む注文情報、具体的には、受付番号、受付日時、顧客ＩＤ、顧客の電話番号、顧客名、顧客の住所、プリント料金、プリント枚数などの各種注文情報を記録（裏印字）する料金記録面１２０ｂ（図６（ｂ）参照）を作製するものであり、シート体を搬送する搬送ローラ対と、裏印字ヘッド（図示せず）とを有する。
さらに、裏印字部４８は、写真プリントのシート体の非画像記録面に、写真の撮影日、プリント焼付日、コマ番号、フイルムＩＤ番号（符号）、撮影に使用したカメラのＩＤ番号、フォトプリンタのＩＤ番号等の各種情報、いわゆるバックプリントを制御部５０からの制御信号に基づいて、記録（裏印字）するものであってもよい。
【００４４】
シート体は、ローラおよびローラ対によって上方に搬送されながら、その非画像記録面に裏印字部４８によってバックプリント（裏印字）が記録される。裏印字部４８としては、インクジェットヘッド、ドットインパクトプリントヘッドまたは熱転写プリントヘッド等公知のプリントヘッドが用いられる。
【００４５】
露光ユニット５２は、例えば、レーザビーム等の光ビームを記録光として用いる公知の光ビーム走査装置であって、シート体の赤（Ｒ）露光、緑（Ｇ）露光および青（Ｂ）露光のそれぞれに対応する光ビームＬを射出する光源、およびこの光源から射出された光ビームＬを、オーダーコントローラ１４から供給される画像処理後のプリンタ用画像データに応じて変調するＡＯＭ（音響光学変調器）等の変調手段、変調された光ビームＬを、搬送方向と直交する方向（主走査方向）に偏向するポリゴンミラー等の光偏向器、主走査方向に偏向された光ビームＬを露光位置ｒ上の所定位置に所定のビーム径で結像させるｆθ（走査）レンズ光路調整用のミラー等を有して構成される。
【００４６】
また、ＰＤＰ（プラズマディスプレイ）アレイ、ＥＬＤ（エレクトロルミネセントディスプレイ）アレイ、ＬＥＤ（発光ダイオード）アレイ、ＬＣＤ（液晶ディスプレイ）アレイ、ＤＭＤ（デジタルマイクロミラーデバイス、登録商標）アレイおよびレーザアレイ等の搬送方向と直交する主走査方向に延在する各種の発光アレイまたは空間変調素子アレイ等を用いるデジタルの露光手段でもよい。
なお、露光ユニット５２の露光位置ｒで行う光ビームＬの主走査の幅は、シート体の幅に対応するように設定される。露光ユニット５２の上記動作は、制御部５０からの制御信号によって制御される。
【００４７】
記録光である光ビームＬは、主走査方向（図２では、紙面に垂直方向）に偏向され、一方、シート体は、副走査搬送ローラ対によって搬送されるので、画像データに応じて変調されている光ビームＬによって、シート体は、２次元的に走査露光され、画像が記録される。
なお、シート体の搬送方向と直交する主走査方向に走査記録を行うことにより搬送中のシート体に画像を記録する構成であれば、その構成は、特に限定されるものではない。
搬出部５６は、光ビームＬによって２次元的に走査露光されたシート体を搬送するものである。
【００４８】
搬出部５６の下流側には、プロセサ６０が設けられている。このプロセサ６０は、露光済みの潜像の記録されたシート体（感光材料）に、所定の現像処理および乾燥処理等を施して、シート体をフイルムに撮影された画像が再生されたプリントとするものである。また、プロセサ６０には、シート体を搬送する複数の搬送ローラ対６６が設けられている。
【００４９】
図２に示すように、プロセサ６０は現像処理部６２と、乾燥処理部７０とを有し、シート体が現像処理されて乾燥されて写真プリントとなる。
図２に示すように、現像処理部６２においては、シート体の搬送方向上流側から順に、現像槽６４ａ、定着漂白槽６４ｂ、第１水洗槽６４ｃ、第２水洗槽６４ｄ、第３水洗槽６４ｅおよび第４水洗槽６４ｆが水平方向に設けられている。乾燥処理部７０は、第４水洗槽６４ｆの下流側に設けられている。
現像槽６４ａ、定着漂白槽６４ｂ、および第１水洗槽６４ｃの上方には、露光済みのシート体を各槽内に搬送するローラ６６ａが設けられている。
【００５０】
現像槽６４ａには現像液が、定着漂白槽６４ｂには定着漂白液が所定量貯留されている。また、第１水洗槽６４ｃ、第２水洗槽６４ｄ、第３水洗槽６４ｅおよび第４水洗槽６４ｆには、所定量の水洗水が貯留されている。
現像槽６４ａおよび定着漂白槽６４ｂの内部には、シート体を槽内で略Ｕ字状に搬送する複数のローラからなる搬送ローラ対６６が設けられている。
【００５１】
また、第１水洗槽６４ｃと第２水洗槽６４ｄとの間の隔壁（図示せず）、第２水洗槽６４ｄと第３水洗槽６４ｅとの間の隔壁（図示せず）、第３水洗槽６４ｅと第４水洗槽６４ｆとの間の隔壁（図示せず）には、各々シート体の通過を許容し、液の通過を阻止可能な感光材料通路部材（図示せず）が設けられている。この感光材料通路部材はブレード（図示せず）が設けられており、シート体の通過後、ブレードにより液の通過が阻止される。
【００５２】
このプロセサ６０においては、現像槽６４ａの現像液に浸漬されたシート体は、その後、定着漂白槽６４ｂの定着液に浸漬されて第１水洗槽６４ｃに搬送される。なお、本実施例では、シート体は、露光ユニット５２によって記録された記録面（乳剤面）を上側にし、非画像記録面を下側にして予め定められた搬送速度で搬送される。
【００５３】
第１水洗槽６４ｃに送り込まれたシート体は、第１水洗槽６４ｃに貯留されている水洗水によって水洗される。この第１水洗槽６４ｃで水洗されたシート体は、第２水洗槽６４ｄへ向けて搬送され、感光材料通路部材（図示せず）を通過して第２水洗槽６４ｄへ搬入される。
以後、シート体は、第２水洗槽６４ｄ、第３水洗槽６４ｅおよび第４水洗槽６４ｆの各水洗水によって水洗され、挟持ローラ対６８ａによって乾燥処理部７０に搬送される。この乾燥処理部７０でシート体は乾燥される。
【００５４】
次に、乾燥処理部７０について説明する。乾燥処理部７０は、現像処理されたシート体を乾燥するものである。
この乾燥処理部７０には、例えば、ヒータ（図示せず）および送風機（図示せず）が設けられており、このヒータにより加熱された空気を送風機で、温風としてシート体に吹き付けることにより、現像処理されたシート体を乾燥させる。
【００５５】
乾燥処理部７０に搬送部７２が接続されており、搬送部７２にはパッカー３２が接続されている。搬送部７２は、パッカー３２に搬送する写真プリントを選別するものである。
この搬送部７２は、第１の搬送路７４と、第２の搬送路７６とを有する。第１の搬送路７４は、出口にトレー７８が設けられており、パッカー３２に搬送されない大きさの写真プリントをトレー７８上に排出させるものである。
また、搬送部７２においては、パッカー３２により包装される写真プリントおよび注文情報プリントは、第２の搬送路７６に搬送される。なお、搬送部７２による写真プリントの選別は、制御部５０に入力された注文情報に基づいてなされる。
【００５６】
本実施例においては、パッカー３２の入口近傍に、スイッチバック部８０が設けられている。
図３に示すように、スイッチバック部８０は、表裏反転させる必要のない写真プリントはそのまま通過させ、表裏反転の必要のある写真プリントの場合はその表裏を反転させるものであり、ガイド８２と、引込部８６とを有するものである。
【００５７】
ガイド８２は、写真プリントをそのまま通過させる時には搬送路Ｄより図中上側に位置して、搬送路Ｄに作用せず、写真プリントを反転させる場合には、搬送路Ｄに作用して、反転させる写真プリントを搬送路Ｄから引込部８６に案内し、引込部８６で反転して、引込部８６から搬送路Ｄに戻すものであり、写真プリントを搬送路Ｄから引込部８６に案内するためのガイド面８２ａと、引込部８６に引き込まれて反転された写真プリントを引込部８６から搬送路Ｄに戻すように案内するためのガイド面８２ｂとを有する。ガイド８２は、搬送路Ｄの上方に回転軸８４を介してα方向に揺動可能に設けられている。
【００５８】
引込部８６は、引込ローラ対８８ａ、８８ｂと、検出センサ８９とを有するものである。
検出センサ８９は、例えば、遮光によって物体の有無を検出する光センサ（フォトインタラプタ）であり、発光素子８９ａと受光素子８９ｂとが対になって構成されるものである。
検出センサ８９による写真プリントの検出結果に応じて、ガイド８２、および引込ローラ対８８ａ、８８ｂが制御される。
【００５９】
本実施例においては、表裏反転させる写真プリントが搬送された場合、ガイド８２は、写真プリントを通過させる搬送路Ｄより上側の位置（基準位置）から、回転軸８４を中心に、図３中時計回りに回転して、そのガイド面８２ａが、搬送路Ｄ上にある写真プリント（１２０、１３０）を引込ローラ対８８ａに向かわしめるような第１の位置に配置される。この後、引込ローラ対８８ａ、８８ｂを回転させる。
【００６０】
写真プリントがガイド８２のガイド面８２ａにより案内されて、引込ローラ対８８ａ、８８ｂに引き込まれ、検出センサ８９に検出されると、ガイド８２が、第１の位置から回転軸８４を中心にさらに図中時計回りに回転して、そのガイド面８２ｂが、引込部８６の引込ローラ対８８ａ、８８ｂに挟持された写真プリントを搬送路Ｄに戻しめるような第２の位置に配置される。この後、引込ローラ対８８ａ、８８ｂが逆回転して、引込部８６から反転されて、写真プリントが排出され、搬送路Ｄに戻される。これにより、写真プリントが表裏反転される。そして、パッカー３２の搬送路Ｄを、表裏反転された状態で搬送される。この後、ガイド８２は、回転軸８４を中心に反時計回りに回転して、図３中搬送路Ｄより上側の基準位置に配置される。
【００６１】
本実施例のスイッチバック部８０は、表裏反転した場合、搬送方向に対しても像を反転させてしまう。このため、スイッチバック部８０により表裏反転させる写真プリントは、予め搬送方向に対して像を反転させて記録することが好ましい。
【００６２】
図示例においては、パッカー３２の入口にスイッチバック部８０を設け、写真プリントを表裏反転させているが、本発明はこれに限定されず、プロセサ６０の現像処理部６２、乾燥処理部７０もしくは搬送部７２にスイッチバック機構などの表裏反転機構を設けてもよい。特に、搬送部７２には２つの搬送路７４および７６が設けられているので、大サイズ用搬送路７４の搬送ローラ対のうちの、少なくとも搬送路７６との分岐部分に近い搬送ローラ対を逆転可能とし、分岐部分に搬送路７６に向かうガイドを設けることにより、極めて簡単に表裏反転機構を構成することができる。
【００６３】
図４（ａ）に示すように、パッカー３２は、注文情報プリント１２０と１オーダ分の写真プリントＰを積層してなる積層体を少なくとも一部が透明な袋に包装するものである。このパッカー３２は、包装シート供給部９０と、包装部９４と、搬送ローラ対９６ａ、９６ｂと、写真パック取出部９８と、ストック部１０４と、ガス供給部１０８とを有する。
【００６４】
包装シート供給部９０は、注文情報プリント１２０および１オーダ分の写真プリントＰを積層してなる積層体Ｓ（図５（ａ）参照）を、まとめて包装する包装用シート１１０を供給するものであり、長尺の包装用シート１１０が巻回された供給ローラ９２ａと、包装用シート１１０を包装部９４に送り出す搬出ローラ９２ｂとが設けられている。
【００６５】
この包装用シート１１０は、図４（ｂ）に示すように、略筒状に形成されたものであり、その表面１１０ａには、長さ方向に一定の間隔ｔで、切込み１１２が形成されている。包装用シート１１０は、透明なものであり、例えば、ポリプロピレンにより形成され、例えば、厚さが５０μｍである。
【００６６】
包装部９４は、注文情報プリント１２０および１オーダ分の写真プリントＰが収納された写真パック１１４を形成するものであり、包装用シート１１０を注文情報プリント１２０および写真プリントＰが収納された状態でシールするとともに、包装用シート１１０のシール部１１６を包装用シート１１０の長手方向に対して直交する方向で切断するものである。
【００６７】
包装部９４は、シールカット部１００、開口手段１０２、およびガス供給部１０８を有するものである。
シールカット部１００は、包装用シート１１０をシールするとともに、包装用シート１１０のシール部１１６を、包装用シート１１０の長手方向に対して直交する方向に切断するものである。このシールカット部１００は、包装用シート１１０の表面１１０ａに対して垂直な方向に接離可能な１対のヒータ部１００ａ、１００ｂを有するヒートシーラ（図示せず）およびカッタ（図示せず）を備える。
【００６８】
開口手段１０２は、包装用シート１１０の切込み１１２の部分を広げ、開口部１１２ａを形成するものである。この開口手段１０２には、例えば、吸盤と、この吸盤の移動手段（図示せず）とを有するものが用いられる。この吸盤を包装用シート１１０の切込み１１２下方の表面１１０ａに吸着させ、移動手段により吸盤を移動させて、包装用シート１１０に開口部１１２ａを形成する。
【００６９】
ガス供給部１０８は、包装用シート１１０に開口部１１２ａを形成するものであり、例えば、ガスボンベ、またはコンプレッサーである。このガス供給部１０８には、ノズル１０８ａが設けられている。このノズル１０８ａは、搬送ローラ９２ｂにより搬送された際における包装用シート１１０の切込み１１２の近傍に設けられている。開口手段１０２により切込み１１２が開口された場合、開口部１１２ａにガス供給部１０８のノズル１０８ａから噴出される気体、例えば、空気が吹き込まれ、包装用シート１１０が膨らまされる。
なお、ノズル１０８ａから噴出される空気等の気体によって包装用シート１１０の切込み１１２を開口させて、開口部１１２ａを形成し、包装用シート１１０を膨らませることができる場合には、開口手段１０２を設けなくてもよい。
【００７０】
搬送ローラ対９６ａ、９６ｂは、包装部９４の下方に設けられ、包装用シート１１０を搬送するものであり、写真パック１１４を写真パック取出部９８に排出するものである。この搬送ローラ対９６ａ、９６ｂは包装用シート１１０の表面１１０ａに対して垂直な方向に接離可能なものであるが、所定の挟持力が得られるように、接触する方向に付勢されているのが好ましい。
【００７１】
写真パック取出部９８は、片面画像形成装置１６により形成された写真パック１１４を取り出すところである。搬送ローラ対９６ｂの下方に板９８ａが斜めに傾けられて設けられている。
【００７２】
ストック部１０４は、注文情報プリント１２０および１オーダ分の写真プリントＰを積層してなる積層体Ｓ（図５（ａ）参照）が保持されるものである。このストック部１０４は、包装部９４に対して傾斜して設けられている。また、ストック部１０４には、積層体Ｓが包装部９４に向かって移動しないように保持するストッパ１０６が設けられている。
【００７３】
本実施例の片面画像形成装置１６においては、画像記録面が上（フェイスアップ）になるため、注文情報プリント１２０、１オーダ分の写真プリントＰの順に、ストック部１０４に搬送して、注文情報プリント１２０のインデックス画像記録面１２０ａ、および写真プリントＰの画像記録面を上にして積層させる。そして、１オーダ分の写真プリントＰのうち、最後にプリントされた写真プリント１５０（以下、最後のプリント１５０という）の画像記録面１５０ａを内側、裏印字面（非画像記録面）１５０ｂを外側に向けるために、最後の写真プリント１５０をスイッチバック部８０で反転させて、ストック部１０４に搬送する。これにより、ストック部１０４においては、下から、注文情報プリント１２０および１オーダ分の写真プリントＰの順で積層される。この場合、注文情報プリント１２０のインデックス画像記録面１２０ａは内側に向けられ、料金記録面１２０ｂは外側に向けられている。また、最後の写真プリント１５０の画像記録面１５０ａは、内側に向けられている。すなわち、最後の写真プリント１５０の画像記録面１５０ａと注文情報プリント１２０の料金記録面１２０ｂとが同じ向きとなった状態で積層される。
【００７４】
本実施例においては、注文情報プリント１２０の上に１オーダ分の写真プリントＰが載置された積層体Ｓの状態で、ストッパ１０６を解除することにより、積層体Ｓがストック部１０４から開口部１１２ａを経て包装用シート１１０の内部に収納される。
【００７５】
ここで、本実施例の片面プリンタ３０は、パッカー３２に搬送されるときには、写真プリントＰの画像記録面は、上側である。また、注文情報プリント１２０のインデックス画像記録面１２０ａも上側である。
このため、本実施例においては、１オーダ分でプリントされたうち、最後の写真プリント１５０をスイッチバック部８０により反転させる。これにより、注文情報プリント１２０の料金記録面１２０ｂおよび最後の写真プリント１５０の裏印字面（非画像記録面）１５０ｂを外側に向けて、残りの１オーダ分の写真プリントＰを挟み込んで積層した状態（積層体Ｓ）でストック部１０４に集積することができる。
【００７６】
次に、本実施例のパッカー３２の動作について説明する。
なお、ストック部１０４には、既に積層体Ｓが貯留されており、ストッパ１０６により止められている。
【００７７】
パッカー３２においては、先ず、包装用シート１１０を包装部９４に供給し、シールカット部１００により写真パック１１４の底となる部分にシール部１１６を形成する。
次に、搬送ローラ対９６ａ、９６ｂにより包装用シート１１０を、その切込み１１２が、開口手段１０２により広げられることができる位置まで搬送する。
【００７８】
次に、開口手段１０２により、包装用シート１１０の切込み１１２の部分を広げ、開口部１１２ａを形成する。この時、搬送ローラ対９６ａの一対のローラは、包装用シート１１０の膨らみが可能なように、所定間隔離間した位置に配置される。
次に、開口部１１２ａにガス供給部１０８のノズル１０８ａから、例えば、空気を吹き込んで包装用シート１１０を膨らませる。
【００７９】
次に、ストック部１０４に積層体Ｓが集積された後、ストッパ１０６を解除して、積層体Ｓを、包装用シート１１０の開口部１１２ａからその内部に投入して収納する。
次に、搬送ローラ対９６ａ、９６ｂは、各々の一対のローラの間隔を、所定の厚みを持つ包装用シート１１０を挟持搬送可能な間隔とし、包装用シート１１０をその切込み１１２がシールカット部１００の位置にくるまで挟持搬送する。
【００８０】
次に、シールカット部１００により、切込み１１２をシールし、シール部１１６を形成するとともに、シール部１１６をカットする。これにより、写真パック１１４が作製される。
次に、搬送ローラ対９６ａ、９６ｂにより写真パック１１４を写真パック取出部９８に搬送する。これにより、写真パック取出部９８から写真パック１１４を取り出すことができる。
【００８１】
本実施例の写真パック１１４は、図５（ｂ）に示すように、注文情報プリント１２０の料金記録面１２０ｂおよび写真プリントＰの最後の写真プリント１５０の裏印字面（非画像記録面）１５０ｂを外側に向けた状態にして、残りの１オーダ分の写真プリントＰを挟み込んで積層してなる積層体Ｓを、透明の包装用シート１１０により形成された袋により収納したものである。
このため、１オーダ分の写真プリントＰの枚数などは確認できるが、注文情報プリント１２０のインデックス画像記録面１２０ａおよび最後の写真プリント１５０の記録面１５０ａのいずれもが、外部から識別することができない。これにより、写真パック１１４の外側からは、インデックス画像および写真プリントＰの画像を見ることができず、顧客のプライバシーを守ることができる。また、注文情報プリント１２０の料金記録面１２０ｂの内容から、顧客は、１オーダ分の写真プリントの料金を確認することができ、さらには、顧客および注文内容を確認することができる。
【００８２】
ここで、図６（ａ）に示すように、注文情報プリント１２０のインデックス画像記録面１２０ａは、写真パック１１４に収納された１オーダ分の写真プリントＰの内容（画像）を把握するものである。このインデックス画像記録面１２０ａは、写真パック１１４に収納される１オーダ分の各写真プリントＰの全ての各画像が縮小されたインデックス画像１２２が、例えば、撮影順に並べられて記録されているものである。
なお、インデックス画像記録面１２０ａにおけるインデックス画像１２２の配置方法は、特に限定されるものではない。例えば、人物、または風景などの各シーン毎に分類して、インデックス画像１２２を配置してもよい。
【００８３】
注文情報プリント１２０の料金記録面１２０ｂは、プリント注文された少なくとも１オーダ分の写真プリントＰの料金が記録されたものである。図６（ｂ）に示すように、本実施例の料金記録面１２０ｂは、例えば、タイトル１３２、注文情報データ１３４およびバーコード１３６が記録されるものであり、これらは、所定のフォーマットに則って記録されるものである。
【００８４】
本実施例の料金記録面１２０ｂにおいては、１オーダ分の写真プリントＰの料金以外にも、例えば、注文情報データ１３４として、例えば、顧客の電話番号１３４ｄ、顧客の氏名１３４ｅ、および顧客の住所１３４ｆの顧客の情報が料金記録面１２０ｂの左側に記録されている。また、料金記録面１２０ｂの左側には、注文時に取得された受付番号１３４ａ、受付日時１３４ｂおよび顧客ＩＤ１３４ｃも注文情報データとして記録されている。さらに、１オーダ分の写真プリントＰの料金に対応付けられたバーコード１３６も記録されている。すなわち、写真プリントＰの料金がバーコードで記録されている。
【００８５】
さらに、プリント処理内容（注文内容）が料金記録面１２０ｂの右側に表１３８にまとめられて記録されている。表１３８においては、画像ファイル名の欄１３８ａ、小計の欄１３８ｂ、１４０ｂ、枚数の欄１４０ａ、プリント料金の欄１４０ｃが設けられており、それぞれの欄には、注文情報データおよび料金データに応じて画像ファイル名、枚数の数値および料金の金額が記録されている。
【００８６】
また、本実施例の料金記録面１２０ｂにおいては、これら以外にもフイルムＩＤ番号、コマ番号、プリントサイズ、ラボ店ＩＤ番号、プリント日時などの情報を含むものであってもよい。料金記録面１２０ｂに記録される内容については、料金記録面１２０ｂのフォーマットを複数用意しておき、受付機１２ａ、１２ｂから入力される注文情報データに対応して適宜変更してもよく、そのフォーマットについても特に限定されるものではない。
さらに、本実施例の料金記録面１２０ｂにおいては、注文情報データの記録形態は、文字、数字、または記号のほか、１次元または２次元のバーコードとしたものでもよい。また、料金記録面１２０ｂには、注文情報データとして、受付番号、受付日時および顧客ＩＤプリントなどの注文時に取得された情報以外にも、プリント処理過程で生成された処理装置ＩＤ番号、施した処理の内容を示す記号等が記録されてもよい。
【００８７】
本実施例の片面画像形成装置１６によれば、反転機構（スイッチバック部８０）を有するパッカー３２を設けることにより、あるいは、反転機構を持つプロセサ６０とスイッチバック部８０のないパッカー３２とを設けることにより、記録媒体の片面にしか画像形成ができなくとも、注文情報プリント１２０の料金記録面１２０ｂおよび最後の写真プリント１５０の裏印字面（非画像記録面）１５０ｂを外側に向けた状態にして、残りの１オーダ分の写真プリントＰを挟み込んで積層して包装することができる。これにより、写真パック１１４の外側からは、インデックス画像記録面１２０ａおよび写真プリントＰの記録内容は見ることができず、写真プリントの枚数および料金記録面１２０ｂの内容のみを確認することができる。このため、インデックス画像記録面１２０ａおよび写真プリントＰの画像記録面を隠すことにより、顧客のプライバシーの保護が図られ、さらに、写真パック１１４を開封しなくとも、料金記録面１２０ｂにより、料金および枚数などの注文内容を確認することができる。
【００８８】
なお、包装用シート１１０は、料金記録面１２０ｂが外側から識別できればよく、全て透明である必要はない。このため、料金記録面１２０ｂが外側から識別できるように、料金記録面１２０ｂに相当する位置が透明なものであり、他の部分は透明でないものが好ましい。すなわち、包装用シート１１０は、少なくとも一部が透明であればよい。
【００８９】
本実施例において、積層体Ｓの形態は図５（ａ）に示すものに限定されるものではない。例えば、図７（ａ）に示すような構成としてもよい。
図７（ａ）は、積層体の他の一例を示す模式的断面図であり、図７（ｂ）は、写真パックの他の一例を示す模式的断面図である。なお、図７（ａ）に示す積層体Ｓａは、図５（ａ）に示す積層体Ｓと同一構成物には、同一符号を付して、その詳細な説明は省略する。
【００９０】
図７（ａ）に示すように、積層体Ｓａは、注文情報プリント１２０のインデックス画像記録面１２０ａおよび１オーダ分の写真プリントＰの画像記録面ＰＲの全てを内側に向けた状態にして、積層してなるものである。この積層体Ｓａを透明の包装用シート１１０により形成された袋により収納したものを写真パック１１４ａとする。この写真パック１１４ａにおいても、写真プリントＰの画像記録面ＰＲは、積層体Ｓａの内側に向けられている。また、注文情報プリント１２０のインデックス画像記録面１２０ａは、積層体Ｓａの内側に向けられ、料金記録面１２０ｂは積層体Ｓａの外側に向けられている。すなわち、積層体Ｓａにおいては、写真プリントＰの画像記録面ＰＲと注文情報プリント１２０の料金記録面１２０ｂとが同じ向きとなっている。このため、注文情報プリント１２０のインデックス画像および写真プリントＰの内容のいずれもが、外部から識別することができない。このような積層体Ｓａが包装された写真パック１１４ａ（図７（ｂ）参照）は、図５（ｂ）に示す写真パック１１４と同様の効果を得ることができる。
【００９１】
本実施例において、図７（ａ）に示す積層体Ｓａは、片面画像形成装置１６により、例えば、１オーダ分の写真プリントＰ、注文情報プリント１２０の順に出力して、ストック部１０４に搬送して、写真プリントＰの画像記録面ＰＲを上にして積層させる。そして、注文情報プリント１２０のインデックス画像記録面１２０ａを内側、料金記録面１２０ｂを外側に向けるために、注文情報プリント１２０をスイッチバック部８０で反転させて、ストック部１０４に搬送する。これにより、ストック部１０４においては、下から、１オーダ分の写真プリントＰおよび注文情報プリント１２０の順で積層され、上述の積層体Ｓａが作製される。この積層体Ｓａの外側が、プリントＰの非画像記録面、および注文情報プリント１２０の料金記録面１２０ｂとなる。
【００９２】
次に、両面画像形成装置１８について説明する。
図１に示すように、両面画像形成装置１８は、両面プリンタ３４、およびパッカー３６を有している。
図８は、本発明の実施例に係る写真パックを作製する両面画像形成装置を示す模式的断面図である。なお、図８に示す両面画像形成装置１８は、図２に示す片面画像形成装置１６と同一構成物には、同一符号を付して、その詳細な説明は省略する。
【００９３】
図８に示すように、本実施例の両面プリンタ３４は、電子写真方式のプリンタであり、記録媒体Ｍの両面に画像記録ができるものである。この両面プリンタ３４は、供給部４２、第１像形成部（画像記録部）１６０ａ、第２像形成部（画像記録部）１６０ｂ、定着部１５２および制御部５０ａを有するものである。なお、供給部４２は、供給する記録媒体Ｍが感光材料Ａではない点が異なり、それ以外の構成は片面プリンタ３０のものと同じ構成である。
【００９４】
また、両面画像形成装置１８のパッカー３６は、片面画像形成装置１６のパッカー３２に比して、スイッチバック部８０を有するものでない点が異なり、それ以外の構成は片面画像形成装置１６のパッカー３２と同様の構成であるため、その詳細な説明は省略する。
【００９５】
第１像形成部１６０ａ、および第２像形成部１６０ｂの２つの像形成部は、記録媒体Ｍの搬送路を挟んで設けられるものである。これらの第１像形成部１６０ａ、および第２像形成部１６０ｂは、共に、モノクロまたはカラーのトナー像を記録媒体Ｍに形成するものであり、特に限定されるものではない。
定着部１５２は、第１像形成部１６０ａ、および第２像形成部１６０ｂにより形成されたトナー像を記録媒体Ｍに定着させるものである。
【００９６】
本実施例の両面プリンタ３４により、記録媒体Ｍの両面またはいずれかの片面に像を形成することができる。このため、写真パック１１４を作製する際に、写真プリントを反転する必要がない。これにより、反転機構が不要になり、パッカー３６の機構を簡素化することができる。
また、本実施例の両面プリンタ３４においては、注文情報プリント１２０は、第１像形成部１６０ａまたは第２像形成部１６０ｂの互いに異なる像形成部で注文情報プリント１２０のインデックス画像記録面１２０ａおよび料金記録面１２０ｂが記録される。
【００９７】
本実施例の両面画像形成装置１８においても、パッカー３６のストック部の構成は、片面画像形成装置１６のパッカー３２と同様の構成である。このため、図５（ａ）に示す積層体Ｓを形成するためには、例えば、第１像形成部１６０ａによって、注文情報プリント１２０のインデックス画像記録面１２０ａを、記録媒体Ｍにおける写真プリントＰの画像記録面と同じ側の面に形成し、第２像形成部１６０ｂによって、注文情報プリント１２０の料金記録面１２０ｂを、反対側の面に形成する。また、１オーダ分の最後の写真プリント１５０の画像記録面１５０ａは、第２像形成部１６０ｂによって、残りの１オーダ分の写真プリントＰの画像記録面と反対側の面に形成する。これにより、ストック部（図示せず）に積層体Ｓとして集積された場合、注文情報プリント１２０の料金記録面１２０ｂおよび最後の写真プリント１５０の裏印字面（非画像記録面）１５０ｂを外側に向けた状態で、残りの１オーダ分の写真プリントＰを挟み込んで積層した状態とすることができる。
【００９８】
なお、図７（ａ）に示す積層体Ｓａを形成する場合には、例えば、第１像形成部１６０ａによって、写真プリントＰを作製した後、第２像形成部１６０ｂによって、注文情報プリント１２０のインデックス画像記録面１２０ａを、記録媒体Ｍにおける写真プリントＰの画像記録面と反対側の面に形成し、第１像形成部１６０ａによって、注文情報プリント１２０の料金記録面１２０ｂを、写真プリントＰの画像記録面ＰＲと同じ側の面に形成する。これにより、ストック部（図示せず）に積層体Ｓａとして集積された場合、注文情報プリント１２０のインデックス画像記録面１２０ａおよび１オーダ分の写真プリントＰの画像記録面ＰＲを内側に向けた状態にして、積層した状態とすることができる。
なお、上述した例では、いずれの場合も、第１像形成部１６０ａによって、写真プリントＰの画像記録面が形成される。
【００９９】
次に、パッカー３６により、写真パック１１４を作製するが、これは、片面画像形成装置１６のパッカー３２と同様の工程であるため、その詳細な説明は省略する。
このようにして、片面画像形成装置１６により作製される写真パック１１４と同様の写真パックを作製することができる。
【０１００】
次に、本実施例のプリントシステム１０による写真パック１１４の形成方法について説明する。
先ず、顧客により、注文情報データが受付機１２ａに入力される。このとき、例えば、注文情報データと同時にプリントする画像の画像データも受け付ける。
そして、注文が確定されると、受付機１２ａにより、注文情報データに受付番号、受付日時、および顧客ＩＤを付与して、プリント注文された画像データとともに受付機１２ａからオーダーコントローラ１４に出力される。また、注文が確定されると、受付機１２ａにより引換券が発行される。
【０１０１】
次に、オーダーコントローラ１４は、注文情報データと、既に入力されている他の注文情報データの処理順が記録されているオーダテーブルとの内容に基づいて、納期および生産性の少なくとも一方を考慮して、注文情報データの処理順を決定し、オーダテーブルを更新する。
【０１０２】
また、オーダーコントローラ１４により、注文情報データに基づいて１オーダ分の写真プリントの料金が計算される。この計算された１オーダ分の写真プリントの料金の料金データが、注文情報データとして管理されるとともに、決済機２０に出力される。
【０１０３】
次に、オーダーコントローラ１４では、注文されたプリントする画像データからプリント用画像データが作製される。また、プリント用画像データから、１オーダ分の各画像が縮小されてまとめて記録されるインデックス用画像データが作製される。さらに、注文情報データおよび料金データに基づいて、料金記録面１２０ｂのフォーマットに則った料金記録面用データが作製される。これらの作製されたプリント用画像データ、インデックス用画像データおよび料金記録面用データは、１つにまとめられて１件分のプリントオーダ情報とされる。
【０１０４】
次に、オーダーコントローラ１４により、プリントオーダ情報が片面画像形成装置１６または両面画像形成装置１８に出力される。
そして、片面画像形成装置１６または両面画像形成装置１８は、オーダーコントローラ１４から出力されたプリントオーダ情報に基づいてプリントを作製し、パッカー３２、３６により１件分毎に、少なくとも一部が透明な袋に、最後の写真プリント１５０の非画像記録面１５０ｂと、注文情報プリント１２０の料金記録面１２０ｂを外側にした状態で、写真プリントＰおよび注文情報プリント１２０を積層してなる積層体Ｓａを包装する。このようにして、写真パック１１４が作製される。
また、図７（ｂ）に示す写真パック１１４ａについても、写真プリントＰの画像記録面ＰＲと、注文情報プリント１２０のインデックス画像記録面１２０ａとを内側に向けた状態で、写真プリントＰおよび注文情報プリント１２０を積層してなる積層体Ｓａを包装することにより、写真パック１１４と同様に作製することができる。
【０１０５】
本実施例においては、例えば、決済機２０が設置されているところで、引換券と引き換えに写真パック１１４が顧客に渡される。注文情報プリント１２０の料金記録面１２０ｂを確認して料金を支払う。このとき、注文情報プリント１２０の料金記録面１２０ｂに、１オーダ分の写真プリントの料金に対応付けられたバーコード１３６が記録されているため、このバーコード１３６を読み取って、１オーダ分の写真プリントの料金を清算してもよい。
【０１０６】
また、本実施例においては、顧客の注文時に、受け取る画像データとしては、例えば、撮影済みのフイルムであってもよい。この撮影済みのフイルムを、現像し、現像済みのフイルムをフイルムスキャナーで読み取り、画像データを作製する。この場合においても、本実施例と同様の効果を得ることができる。但し、フイルムについては、別途顧客に返却するか、または返却をしなくてもよい許可を顧客に取る必要がある。
【０１０７】
なお、本実施例の片面画像記録装置１６においては、反転機構（スイッチバック部８０）を設けた構成としたが、本発明は、これに限定されるものではなく、露光ユニット５２により記録される面とは、反対側の面に画像を記録するインクジェットヘッド２００を設けるようにしてもよい。この場合、スイッチバック部８０は、不要となる。しかしながら、片面画像記録装置１６においては、画質を考慮すると、画像が記録される面と同じ面に記録することが好ましい。
また、本実施例においては、片面画像記録装置１６および両面画像記録装置１８の画像記録方式は、特に限定されるものではなく、銀塩方式、電子写真方式、およびインクジェット方式以外にも、熱溶融方式など適宜要求される画質、またはプリント形態に応じた方式のものを用いることができる。
【０１０８】
以上、本発明の写真パックおよびプリントシステムについて説明したが、本発明は上述の実施形態に限定はされず、本発明の要旨を逸脱しない範囲において、各種の改良または変更を行ってもよいのは、もちろんである。
【図面の簡単な説明】
【０１０９】
【図１】本発明の実施例に係る写真パックを作製するプリントシステムの一例を示す模式的ブロック図である。
【図２】本発明の実施例に係る写真パックを作製する片面画像形成装置の一例を示す模式的断面図である。
【図３】本実施例の片面画像形成装置のスイッチバック部の一例を示す模式的断面図である。
【図４】（ａ）は、本実施例の片面画像形成装置のパッカーの一例を示す模式的断面図であり、（ｂ）は、本実施例のパッカーに用いられる包装用シートの一例を示す模式的斜視図である。
【図５】（ａ）は、写真プリントおよび注文情報プリントにより構成される積層体の一例を示す模式的斜視図であり、（ｂ）は、本実施例の写真パックの一例を示す模式的側断面図である。
【図６】（ａ）は、本実施例の注文情報プリントのインデックス画像記録面の一例を示す模式図であり、（ｂ）は、本実施例の注文情報プリントの料金記録面の一例を示す模式図である。
【図７】（ａ）は、写真プリントおよび注文情報プリントにより構成される積層体の他の一例を示す模式的斜視図であり、（ｂ）は、本実施例の写真パックの他の一例を示す模式的側断面図である。
【図８】本発明の実施例に係る写真パックを作製する両面画像形成装置の一例を示す模式的断面図である。
【符号の説明】
【０１１０】
１０  プリントシステム
１２ａ、１２ｂ  受付機
１４  オーダーコントローラ
１６  片面画像形成装置
１８  両面画像形成装置
２０  決済機
３０  片面プリンタ
３２、３６  パッカー
４０  片面プリンタ部
４２  供給部
４８  裏印字部
５０、５０ａ  制御部
５２  露光ユニット
６０  プロセサ
６２  現像処理部
７０  乾燥処理部
７２  搬送部
８０  スイッチバック部
８２  ガイド
８６  引込部
８９  検出センサ
９０  包装シート供給部
９４  包装部
９８  写真パック取出部
１００  シールカット部
１０２  開口手段
１０４  ストック部
１０６  ストッパ
１０８  ガス供給部
１１０  包装用シート
１１２  切込み
１１２ａ  開口部
１１４、１１４ａ  写真パック
１１６  シール部
１２０  注文情報プリント
１２０ａ  インデックス画像記録面
１２０ｂ  料金記録面
１５０  最後にプリントされた写真プリント（最後の写真プリント）
１５０ａ  記録面
１５０ｂ  非画像記録面
１６０ａ  第１像形成部
１６０ｂ  第２像形成部
Ａ  感光材料
Ｌ  光ビーム
Ｍ  記録媒体
Ｐ  写真プリント
ＰＲ  画像記録面
ｒ  露光位置
Ｓ、Ｓａ  積層体
【図１】
2007010739.tif 000003
【図２】
2007010739.tif 000004
【図３】
2007010739.tif 000005
【図４】
2007010739.tif 000006
【図５】
2007010739.tif 000007
【図６】
2007010739.tif 000008
【図７】
2007010739.tif 000009
【図８】
2007010739.tif 000010